(57)【特許請求の範囲】
【請求項１】
配電盤キャビネット用の閉鎖装置であって、グリップ受容部にハンドレバーを受容するホルダが設けられており、ハンドレバーが、ホルダ内を移動可能な錠止体を用いてロック位置において保持されており、ホルダの錠ケーシングに錠が受容されていて、該錠が閉鎖位置において錠止体をハンドレバーと係合させて、ハンドレバーをロック位置に保つようになっており、錠の開放位置では錠止体の移動によってハンドレバーと錠止体との間におけるロックが解消され、予負荷されたハンドレバーがグリップ受容部から解放されており、この際に解放位置を占めているハンドレバーの旋回によって、配電盤キャビネットの閉鎖ロッドが閉鎖位置と開放位置との間において移動可能である形式のものにおいて、
ホルダ（１０）が、調節可能な数字車（２２）を備えた数字合わせ錠として形成された第２錠（２１）を受容していて、該第２錠（２１）が同様に、スライダとして形成された錠止体（１５）と作用結合しており、該錠止体（１５）が錠（３０）及び第２錠（２１）のために操作付加部（４２，４４）を有しており、
錠（３０）が、対応配置された操作付加部（４２）を介して錠止体（１５）を調節する制御部材（２４）を備えており、
第２錠（２１）に回転スライダ（２３）が対応配置されていて、該回転スライダ（２３）が、対応配置された操作付加部（４４）を介して錠止体（１５）を調節するために制御部材（２４）を有しており、
回転スライダ（２３）が、第２錠（２１）における数字コードの正確な調節時にのみ操作可能であり、それ以外の時には係止されていることを特徴とする閉鎖装置。
【請求項２】
配電盤キャビネット用の閉鎖装置であって、グリップ受容部にハンドレバーを受容するホルダが設けられており、ハンドレバーが、ホルダ内を移動可能な錠止体を用いてロック位置において保持されており、ホルダの錠ケーシングに錠が受容されていて、該錠が閉鎖位置において錠止体をハンドレバーと係合させて、ハンドレバーをロック位置に保つようになっており、錠の開放位置では錠止体の移動によってハンドレバーと錠止体との間におけるロックが解消され、予負荷されたハンドレバーがグリップ受容部から解放されており、この際に解放位置を占めているハンドレバーの旋回によって、配電盤キャビネットの閉鎖ロッドが閉鎖位置と開放位置との間において移動可能である形式のものにおいて、
ホルダ（１０）が、調節可能な数字車（２２）を備えた数字合わせ錠として形成された第２錠（２１）を受容していて、該第２錠（２１）が第２の錠止体と作用結合しており、
錠止体（１５）と第２の錠止体とが、スライダとして形成されていて、それぞれ操作付加部（４２，４４）を備えており、
錠（３０）が、錠止体（１５）の操作付加部（４２，４４）のための制御部材（２４）を、錠止体（１５）を調節するために備えており、
第２錠（２１）に回転スライダ（２３）が対応配置されていて、該回転スライダ（２３）が、第２の錠止体の操作付加部（４４）のための制御部材（２４）を有しており、
回転スライダ（２３）が、第２錠（２１）における数字コードの正確な調節時にのみ操作可能であり、それ以外の時には係止されており、
さらに第２の錠止体が錠止体（１５）のようにハンドレバー（１２）を解放したり、又はグリップ受容部において固定することを特徴とする閉鎖装置。
【請求項３】
調節部材（４０）が金属薄板断裁からの打抜き・曲げ部品として製造されており、操作付加部（４２，４４）が調節部材（４０）から打ち抜かれて、舌片状に折り曲げられている、請求項１又は２記載の閉鎖装置。
【請求項４】
第２錠（２１）が交換可能に錠ケーシング（２０）の錠受容部内に収容されており、第２錠（２１）が組み込まれていない場合には錠受容部がカバーを用いて覆われており、該カバーが内側において錠ケーシング（２０）内に固定されている、請求項１から３までのいずれか１項記載の閉鎖装置。
【請求項５】
第２錠（２１）の回転スライダ（２３）がその調節運動距離の領域において戻し機構を操作し、該戻し機構が歯車を戻し位置にもたらすようになっている、請求項１から４までのいずれか１項記載の閉鎖装置。
【請求項６】
錠（３０）と第２錠（２１）とが一緒に錠ケーシング（２０）内に保持されており、錠ケーシング（２０）が別体の部材としてホルダ（１０）に取付け可能である、請求項１から５までのいずれか１項記載の閉鎖装置。
【請求項７】
第２錠（２１）が第２調節部材と作用結合しており、第２調節部材が第２の錠止体と作用結合されており、錠止体（１５）及び第２の錠止体がばねによって予負荷されてロック位置において保持され、かつ調節部材（４０）を用いて開放位置にばねの予負荷力に抗してシフト可能に支承されている、請求項１から６までのいずれか１項記載の閉鎖装置。
【発明の詳細な説明】
【０００１】
【発明の属する技術分野】
本発明は、配電盤キャビネット（Ｓｃｈａｌｔｓｃｈｒａｎｋ）用の閉鎖装置であって、グリップ受容部にハンドレバーを受容するホルダが設けられており、ハンドレバーがホルダにロック位置において、移動可能に支承された錠止体を用いて固定可能であり、ホルダが錠ケーシング内において錠止体を操作するために錠を受容しており、該錠が調節部材を介して錠止体と作用結合している形式のものに関する。
【０００２】
【従来の技術】
ドイツ連邦共和国特許第１９８０１７２１号明細書に基づいて公知の上記形式の閉鎖装置では、ハンドレバーはホルダに旋回可能に取り付けられている。ハンドレバーはこの場合、ホルダが取り付けられているキャビネットドアの平面に対して垂直に旋回することができる。ハンドレバーはその出発位置において、グリッパ受容部に保持されている。この場合錠止体は、ハンドレバーが意図に反して開放位置に移動することを阻止する。錠止体はスライダを用いてロック解除することができる。スライダは、例えば成形半円筒体（Ｐｒｏｆｉｌｈａｌｂｚｙｌｉｎｄｅｒ）である錠を用いて操作される。ハンドレバーがロック解除されるや否や、ハンドレバーは掴まれて、開放位置へと旋回可能である。
【０００３】
同様な閉鎖装置はヨーロッパ特許第０１５５５４３号明細書からも公知である。この公知の閉鎖装置においてもハンドレバーは、グリップ受容部内にロックされて固定される。ハンドレバーがロック解除されるや否や、ハンドレバーはばねエレメントの作用下で操作位置に移動する。そしてこの操作位置においてハンドレバーは掴まれて、キャビネットドアに対して垂直に延びる回転軸線を中心にして旋回することができる。
【０００４】
配電盤キャビネットはしばしば、例えば電話交換センタ（Ｔｅｌｅｆｏｎ−Ｓｃｈａｌｔｚｅｎｔｒａｌ）のような分配交換センタ（Ｓｃｈａｌｔ−Ｖｅｒｔｅｉｌｅｒｚｅｎｔｅｒ）において設置される。
【０００５】
このような分配交換センタには、正規のオペレータのみならず、個々の配電盤キャビネットを借りている第三者もまた接近する権利つまりアクセス権を有している。したがって、配電盤キャビネットに対するアクセス権をコントロールする必要があり、この場合にはオペレータの他には、正当な権利を有する第三者だけがアクセスすることができる。
【０００６】
【発明が解決しようとする課題】
ゆえに本発明の課題は、冒頭に述べた形式の閉鎖装置を改良して、１つの配電盤キャビネットに対する２つの使用者グループのアクセス権を、簡単な形式でコントロールすることができる閉鎖装置を提供することである。
【０００７】
【課題を解決するための手段】
この課題を解決するために本発明の構成では、ホルダが第２錠を受容していて、該第２錠が同様に錠止体と作用結合しているか又は、第２錠が第２の調節部材を介して第２の錠止体と作用結合しており、この場合第２の錠止体が同様にハンドレバーをそのロック位置においてホルダに固定するようになっている。
【０００８】
【発明の効果】
閉鎖装置は、配電盤キャビネットのキャビネットドアに一体的な構成群として取り付けられることができ、この場合２つの閉鎖可能性を１つにまとめている。これによって、権利を有する異なった２つの使用者グループが１つの配電盤キャビネットに対してアクセスすることができる。
【０００９】
本発明の有利な構成では、錠止体を操作するための調節部材がスライダとして形成されていて、該スライダが錠及び第２錠のために操作付加部を有しており、錠及び第２錠が制御部材によってスライダを操作付加部を介して操作するようになっている。このように構成されていると、閉鎖装置のために必要な部材コスト及び組立てコストを安価に保つことができ、その結果単純な構造が可能になる。
【００１０】
この場合本発明の有利な構成では、調節部材が金属薄板断裁からの打抜き・曲げ部品として製造されており、操作付加部が調節部材から打ち抜かれて、舌片状に折り曲げられている。
【００１１】
本発明の別の構成では、第２錠が交換可能に錠ケーシングの錠受容部内に収容されており、第２錠が組み込まれていない場合には錠受容部がカバーを用いて覆われており、該カバーが内側において錠ケーシング内に固定されている。このように構成されていると、閉鎖装置は例えば変化態様（Ｇｒｕｎｄｖａｒｉａｎｔｅ）において使用することができる。しかしながら閉鎖装置は常に第２錠を備えていることができる。
【００１２】
本発明の有利な構成では、第２錠が、調節可能な数字車を備えた数字合わせ錠として構成されている。この場合特に、第２錠が回転スライダを有しており、該回転スライダが操作付加部を操作するための制御部材を有しており、回転スライダが、数字コードの正確な調節時に操作可能であり、それ以外の時には係止されていると、有利である。
【００１３】
このような第２錠において、配電盤キャビネットの開放後に数字コードがうっかりと戻ってしまうことを回避するために、本発明の別の構成では、第２錠の回転スライダがその調節運動距離の領域において戻し機構を操作し、該戻し機構が歯車を戻し位置にもたらすようになっている。
【００１４】
また、錠と第２錠とが一緒に錠ケーシング内に保持されており、錠ケーシングが別体の部材としてホルダに取付け可能であると、ホルダを種々様々な形式の錠ケーシングを用いて問題なく取り付けることができる。
【００１５】
本発明のさらに別の有利な構成では、第２錠が第２調節部材と作用結合しており、第２調節部材が第２の錠止体と作用結合されており、錠止体及び第２の錠止体がばねによって予負荷されてロック位置において保持され、かつ調節部材を用いて開放位置にばねの予負荷力に抗してシフト可能に支承されている。両方の錠止体がロック位置において保持される場合、いわゆるマスタ機能（Ｍｕｓｔｅｒ−Ｆｕｎｋｔｉｏｎ）が実現される。この場合には両方の錠を操作することが必要なので、最終的にハンドレバーが解放される。
【００１６】
【発明の実施の形態】
次に図面を参照しながら本発明の実施の形態を説明する。
【００１７】
図１には、ホルダ１０と錠ケーシング２０とを備えた閉鎖装置が示されている。ホルダ１０は機械的な境界面１３を形成しており、この境界面１３に錠ケーシング２０を取り付けることができる。ホルダ１０は錠ケーシング２０と一緒にグリップ受容部１１を形成している。このグリップ受容部１１にはハンドレバー１２がその閉鎖位置において配置されている。
【００１８】
錠ケーシング２０は、互いに上下に配置された錠３０と第２錠２１とを有している。第２錠２１は数字合わせ錠（Ｚａｈｌｅｎｓｃｈｌｏｓｓ）として形成されていて、調節可能な３つの数字車２２を有している。さらに第２錠２１は、回転スライダ２３を有しており、この回転スライダ２３は前面に設けられたハンドルを用いて回動させることができる。
【００１９】
図２に示されているように、閉鎖装置は接触面１８を有しており、この接触面１８で閉鎖装置は配電盤キャビネットドアの前面に取り付けられることができる。ハンドレバー１２は取付け状態においてドア平面に対して垂直な平面に位置している。図２に示された閉鎖位置においてハンドレバー１２は錠止体１５を用いてグリップ受容体１１内にしっかりと保持されている。そのためにハンドレバー１２のタンブラ（Ｚｕｈａｌｔｕｎｇ）１４は錠止体１５によって後ろから係合されている。錠止体１５自体は錠ケーシング２０にシフト可能に支承されている。錠止体１５には調節部材４０が取り付けられている。調節部材４０は押しロッド４１を有しており、この押しロッド４１は錠ケーシング２０の支持部材２７とスラスト軸受２８とに保持されている（図２参照）。調節部材４０は直線的にかつ図平面に対して平行にシフトされることができる。この調節部材４０は鋼薄板断裁からの打抜き・曲げ部品として製造されている。押しロッド４１からは操作付加部４２が折り曲げられている。操作付加部４２は、錠ケーシング２０によって取り囲まれた内室に入り込んでいる。
【００２０】
図２からさらに分かるように、錠ケーシング２０は錠受容部３１を有しており、この錠受容部３１内には錠３０が取り付けられている。図２では図面を見易くするために錠３０の図示は省かれている。第２錠２１もまた同様に錠ケーシング２０の錠受容部に挿入されている。この第２錠２１は、数字車２２と回転スライダ２３とを有する構成部分と一緒に１つの構成群を形成している。これは簡単に取扱い可能であり、相応な錠受容部に挿入することができる。挿入された状態において第２錠２１は環状のフランジ２６で、錠ケーシング２０の後退させられた受容部において支持される。フランジ２６は上側面もしくは表面において、錠ケーシング２０の正面つまり見える面と同一平面を成している。このようになっていることによって、フランジ２６の後ろへの工具の係合が回避され、権限のない者による閉鎖装置の操作を確実に防止することができる。第２錠２１は閉鎖ケーシング２０の内室に向けられた支持面２５を有しており、この支持面２５は、支持部分２７に支持されている。第２錠２１は錠ケーシング・内側から固定ねじを用いて固定されることができる。
【００２１】
回転スライダ２３は制御部材２４を有しており、この制御部材２４は押しロッド４１の操作付加部４４と作用結合している。第２の操作付加部４４は、図２に示されていない錠の制御部材２４と作用結合している。操作可能性を良好にするために、操作付加部４２，４４には側部の制御カム４３が設けられている。これらの制御カム４３には、制御部材２４が錠操作中に乗り上げることができる。
【００２２】
ハンドレバー１２を解錠するためには錠３０又は第２錠２１を使用することができる。第２錠２１を操作するためにはまず初めに、数字車２２においてコードを調節するつまり合わせる必要がある。次いで回転スライダ２３は、接触面１８に対して垂直な軸線を中心にして回動させられることができる。この場合制御部材２４は操作付加部４４の制御カム４３に沿って滑動する。これによって調節部材４０は図２において図平面で見て右に向かってシフトされる。このシフト運動はこの場合ばねに抗して生ぜしめられ、このばねは調節部材４０をばね力によって予負荷しながら保持している。錠止体１５がタンブラ１４を解放するや否や、ハンドレバー１２はグリッパ支承部１６を中心にしてグリッパ受容部１１から外方旋回する。この外方旋回運動はこの場合ばねによって助成される。
【００２３】
第２錠２１による調節部材４０の操作の代わりに、錠止体１５を錠３０を用いて操作することも可能である。錠３０は同様に、図２に示されていない錠の制御部材２４を有しており、この制御部材２４は操作部材４２の制御カム４３に沿って滑動する。
【００２４】
図３及び図４には閉鎖装置の別の変化実施例が示されている。この閉鎖装置は機能的には、図１及び図２に示された閉鎖装置と同様に構成されている。ハンドレバー１２は図４に示されているように、その閉鎖位置ではグリップ受容部１１内において錠止体１５を用いて固定されている。レバー１２には、枠の形に形成された調節部材４０が連結されている。図１及び図２に示された閉鎖装置におけると同様に、調節部材４０は２つの操作付加部４２，４４を介して選択的に錠３０又は第２錠２１を用いて制御されることができる。錠止体１５が解放されると、ハンドレバー１２は配電盤キャビネットドアに対して垂直な平面において外方旋回する。外方旋回させられた状態においてハンドレバー１２は把持されて、回転支承部１６．２を中心にして旋回させられることができる。
【００２５】
旋回支承部１６．２の旋回軸線はこの場合キャビネットドアの平面に対して垂直に位置している。ハンドレバー１２の回動時に支承ピン１７は回転支承部１６．２において回転する。支承ピン１７の回動を利用して、キャビネットドアの閉鎖ロッドを運動させることができる。
【図面の簡単な説明】
【図１】配電盤キャビネット用の閉鎖装置を示す斜視図である。
【図２】図１に示された閉鎖装置を鉛直方向で断面した図である。
【図３】配電盤キャビネット用の閉鎖装置の別の実施例を示す斜視図である。
【図４】図３に示された閉鎖装置を鉛直方向で断面した図である。
【符号の説明】
１０  ホルダ、  １１  グリップ受容部、  １２  ハンドレバー、  １３  境界面、  １４  タンブラ、  １５  錠止体、  １６．２  回転支承部、  １７  支承ピン、  １８  接触面、  ２０  錠ケーシング、  ２１  第２錠、  ２２  数字車、  ２３  回転スライダ、  ２４  制御部材、  ２５  支持面、  ２６  フランジ、  ３０  錠、  ３１  錠受容部、  ４０  調節部材、  ４１  押しロッド、  ４２  操作付加部
【図１】
0003605384.tif 000002
【図２】
0003605384.tif 000003
【図３】
0003605384.tif 000004
【図４】
0003605384.tif 000005